(57)【要約】【課題】  ヒートシャッタを設けても十分なケーブル収納空間を確保できる電気機器収納用キャビネットを提供する。【解決手段】  底枠１と天枠２の間の４隅に支柱３を立設し、前側２本の支柱３の内側にそれぞれマウントアングル５を立設してラックマウントタイプの電気機器を収納可能とし、左右側面を閉塞する側板とマウントアングル５との間の空間を閉塞して、空間を前後に分断するヒートシャッタ６を配設した。ヒートシャッタ６は、マウントアングル５との連結部を長孔８として前後方向に移動可能とし、移動した複数の位置でマウントアングル５に固定可能とした。【選択図】  図５
2018195652.tif 000002
【特許請求の範囲】
【請求項１】
底枠と天枠の間の４隅に支柱を立設し、前記支柱のうち前側２本の内側にそれぞれマウントアングルを立設してラックマウントタイプの電気機器を収納可能とし、周囲が閉塞板で閉塞された電気機器収納用キャビネットであって、
前記閉塞板を構成する左右側面を閉塞する側板と前記マウントアングルとの間の空間を閉塞して、前記空間を前後に分断するヒートシャッタを配設し、
前記ヒートシャッタは、前後方向に移動した複数の位置で前記マウントアングルに固定可能であることを特徴とする電気機器収納用キャビネット。
【請求項２】
前記ヒートシャッタは、前記側板と前記マウントアングルとの間の空間を閉塞して前後を分断する帯状の閉塞片と、前記マウントアングルの側部にネジ止めして固定するための固定片とを有し、
前記固定片に設けたネジ挿通孔が、前記ヒートシャッタの前後方向のスライド操作を可能とする横長の長孔であることを特徴とする請求項１記載の電気機器収納用キャビネット。
【発明の詳細な説明】
【技術分野】
【０００１】
本発明は、サーバや通信機器等の電気機器を収納する電気機器収納用キャビネットに関し、特にラックマウントタイプの電気機器を収納する電気機器収納用キャビネットに関する。
【背景技術】
【０００２】
サーバや通信機器等の電気機器を収納するキャビネットは、収納された電気機器の発熱を抑制するために、箱状に形成したキャビネット内に空気の流路を形成し、内部の暖気を効率良く排出するよう構成されている。このような排熱構造として、キャビネットの前面側から外気（冷気）を導入し、背面側からキャビネット内で暖められた暖気を排出する構造が広く採用されている。
一方で、ラックマウントタイプのキャビネットは、収納機器を固定するためのマウントアングルが左右に立設されており、キャビネット側面とこのマウントアングルの間にケーブルを配設するための空間が設けられている。そのため、前面から外気を導入する排熱構造をラックマウントタイプの電気機器を収納するキャビネットに採用した場合、ケーブル配設のための左右の空間を伝って、機器により暖められた後方の暖気が前方に回り込み、前方から流入した外気と混ざって冷却効率が低下する問題があった。
この対策として、例えば特許文献１に開示されているように、キャビネットの側面とマウントアングルの間に閉塞板（ヒートシャッタ）を配置して、後方の暖気が前方に回り込むのを防止した。
【先行技術文献】
【特許文献】
【０００３】
【特許文献１】特開２０１６−２０１４１３号公報
【発明の概要】
【発明が解決しようとする課題】
【０００４】
上述したように、ラックマウントタイプの電気機器を収納するキャビネットは、キャビネット側面との間に、収納した機器に接続するためのケーブルを収納するケーブル収納空間が設けられている。ところが、ヒートシャッタがマウントアングルとキャビネット側面との間に設置されることでケーブル収納空間が狭くなり、収納するケーブルの量によっては機器の前方にケーブルが露出してしまう新たな問題が発生した。
【０００５】
この場合、ケーブル収納空間はヒートシャッタの前側に形成されるため、ヒートシャッタの取り付け位置を後方に移動させれば、十分なケーブル収納空間を確保できる。しかしながら、後方に移動すれば電気機器を冷却する空気の流れが悪くなり冷却効率が低下するため、可能な限りヒートシャッタは収納した電気機器の前面に近い前方に設置したいし、ヒートシャッタを後方に移動すればヒートシャッタが大型化するし、形状も複雑なものと成ってしまう。
【０００６】
そこで、本発明はこのような問題点に鑑み、ヒートシャッタを前方に配置しても十分なケーブル収納空間を確保できる電気機器収納用キャビネットを提供することを目的としている。
【課題を解決するための手段】
【０００７】
上記課題を解決する為に、請求項１の発明は、底枠と天枠の間の４隅に支柱を立設し、前記支柱のうち前側２本の内側にそれぞれマウントアングルを立設してラックマウントタイプの電気機器を収納可能とし、周囲が閉塞板で閉塞された電気機器収納用キャビネットであって、閉塞板を構成する左右側面を閉塞する側板とマウントアングルとの間の空間を閉塞して、空間を前後に分断するヒートシャッタを配設し、ヒートシャッタは、前後方向に移動した複数の位置でマウントアングルに固定可能であることを特徴とする。
この構成によれば、収納した電気機器に接続されるケーブルを収納する部位となる左右のマウントアングルの外側スペースが、ヒートシャッタにより奥行きが制限されることで、ケーブル収納空間が制限されても、ヒートシャッタは後方に移動可能であるため、広いケーブル収納空間を必要とする場合は拡張でき、収納したケーブルが前方に露出するのを防ぐことができる。
【０００８】
請求項２の発明は、請求項１に記載の構成において、ヒートシャッタは、側板とマウントアングルとの間の空間を閉塞して前後を分断する帯状の閉塞片と、マウントアングルの側部にネジ止めして固定するための固定片とを有し、固定片に設けたネジ挿通孔が、ヒートシャッタの前後方向のスライド操作を可能とする横長の長孔であることを特徴とする。
この構成によれば、ネジを緩めるだけでヒートシャッタを移動させることができ、簡易な操作でケーブル収納空間を拡張できる。
【発明の効果】
【０００９】
本発明によれば、収納した電気機器に接続されるケーブルを収納する部位となる左右のマウントアングルの外側スペースが、ヒートシャッタにより奥行きが制限されることで、ケーブル収納空間が制限されても、ヒートシャッタは後方に移動可能であるため、広いケーブル収納空間を必要とする場合は拡張でき、収納したケーブルが前方に露出するのを防ぐことができる。
【図面の簡単な説明】
【００１０】
【図１】本発明に係る電気機器収納用キャビネットの一例を示す斜視図であり、閉塞板を外してキャビネットフレームを露出させた状態を示している。
【図２】図１の正面図である。
【図３】Ａ−Ａ線の平面で切断した断面図である。
【図４】Ｂ部拡大図である。
【図５】ヒートシャッタの取り付け説明図である。
【図６】ヒートシャッタをスライドしてケーブル収納スペースを拡張した説明図である。
【発明を実施するための形態】
【００１１】
以下、本発明を具体化した実施の形態を、図面を参照して詳細に説明する。図１，２は本発明に係る電気機器収納用キャビネットの一例を示し、図１は斜視図、図２は正面図である。但し、周囲を閉塞する側板等の閉塞板を外してフレームを露出した状態を示している。
【００１２】
電気機器収納用キャビネット（以下、単に「キャビネット」と称する。）１０は、四角形の底枠１、天枠２を有し、両者を４隅に立設した支柱３で連結して骨組みとなるキャビネットレームが形成されている。また、左右側面が図示しない側板により閉塞され、前後面が図示しない前扉及び後扉により閉塞され、底面及び天面は図示しない底板及び天板により閉塞されて使用される。こうして閉塞された内部空間に、ラックマウントタイプの電気機器が収納される。
尚、図１は矢印Ｐの方向が前方であり、図面手前となる右側の支柱は省略し、更に天枠２の図示手前となる右側フレームも一部省略してある。
【００１３】
そして、キャビネット１０内の前側には、支柱３に隣接して収納する電気機器を固定するためのマウントアングル５が左右に立設され、このマウントアングル５の側部には後方の暖気が前方に回り込むのを防止し、効率の良い電気機器の冷却を行うためのヒートシャッタ６が取り付けられている。
【００１４】
支柱３は、図１に示すように底枠１及び天枠２の角部を覆うように直角に折り曲げて形成された枠片を有し、枠片は上下に延設された帯状の前枠３ａと側枠３ｂとから成り、前枠３ａの端部、及び側枠３ｂの端部は、それぞれキャビネット１０の内側に折り曲げられて、十分な強度を得るよう形成されている。
【００１５】
図３はＡ−Ａ線で切断した断面図であり、図４は図３のＢ部を拡大した図である。図４に示す様に、マウントアングル５は、キャビネット前面側に電気機器を取り付けるための平坦なマウント板５ａを具備し、このマウント板５ａの端部から後方に直角に折り曲げて形成した幅広の側面板５ｂを備えている。この側面板５ｂが、ヒートシャッタ６を取り付ける取付面を形成している。
【００１６】
一方、ヒートシャッタ６は断面Ｌ字状に折り曲げ形成され、一方の片がマウントアングル５に固定するための固定片６ａであり、他方の片がマウントアングル５とキャビネット１０の側面との間に設けられた空間を閉塞するための閉塞片６ｂとなっている。
尚、図４に示すエリアＥ１はケーブル収納空間を示し、矢印Ｐ２はヒートシャッタ６の移動方向を示し、移動したヒートシャッタ６を想像線で示している。
【００１７】
図５はヒートシャッタ６を取り付ける様子を示す説明図であり、マウントアングル５の部分斜視図である。説明のため、ヒートシャッタ６は取り付け前と取り付け後の２つの状態を示している。
ヒートシャッタ６の固定片６ａには、ネジ止めのための横長の（キャビネットの前後方向に長い）長孔８が上下２箇所に穿設されている。そして、対応するマウントアングル５の側面板５ｂには、ネジ７を挿通する挿通孔９が複数穿設されている。挿通孔９は長孔８の間隔に合わせて配置され、この長孔８と挿通孔９を使用してネジ７とナット（図示せず）とでヒートシャッタ６は固定される。
【００１８】
尚、ヒートシャッタ６を固定するネジ７の基本取付位置は、図５に示すように長孔８の閉塞片６ｂに近い奥側端部とする。即ち、ヒートシャッタ６がキャビネット１０の最も前方に配置された状態を基本取り付け位置とする。また、キャビネットフレームの前後の支柱３の間には棒状の補強フレーム４が中央位置で掛け渡されており、ヒートシャッタ６はこの補強フレーム４と干渉しないよう上下２分割して形成され、２枚１組で取り付けられている。
【００１９】
図６は、このように取り付けられたヒートシャッタ６を後方に移動した状態を示している。ネジ７を緩めれば、図５に示した取り付け位置から長孔８を利用してヒートシャッタ６を後方に容易にスライドできる。このように後方に移動して固定すれば、図４で示しているケーブル収納空間Ｅ１を拡大することができる。
【００２０】
このように、収納した電気機器に接続されるケーブルを収納する部位となる左右のマウントアングル５の外側スペースが、ヒートシャッタ６により奥行きが制限されることで、ケーブル収納空間Ｅ１の奥行きが制限されても、ヒートシャッタ６は後方に移動可能であるため、広いケーブル収納空間Ｅ１を必要とする場合は拡張でき、収納したケーブルが前方に露出するのを防ぐことができる。
また、ネジ７を緩めるだけでヒートシャッタ６を移動させることができ、簡易な操作でケーブル収納空間Ｅ１を拡張できる。
【００２１】
尚、上記実施形態では、ヒートシャッタ６をネジ７で固定しているが、ボルトで固定しても良い。また、長孔８を設けてヒートシャッタ６を移動可能としているが、長孔８を複数のネジ挿通孔に替えても良い。
【符号の説明】
【００２２】
１・・底枠、２・・天枠、３・・支柱、５・・マウントアングル、６・・ヒートシャッタ、６ａ・・固定片、６ｂ・・閉塞片、７・・ネジ、８・・長孔、Ｅ１・・ケーブル収納空間。
【図１】
2018195652.tif 000003
【図２】
2018195652.tif 000004
【図３】
2018195652.tif 000005
【図４】
2018195652.tif 000006
【図５】
2018195652.tif 000007
【図６】
2018195652.tif 000008